【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
生検鉗子において、
シースと、
前記シースの中に滑動可能に配置されており、内部を貫通して画定されている長手方向軸線を有している内部シャフトであって、前記シャフトは、遠位部分に接続されそこから遠位方向に伸張している複数の把持部材を備えており、前記把持部材の内の１つ又はそれ以上は切断縁部を含んでいる、内部シャフトと、を備えており、
前記複数の把持部材の内少なくとも１つは、開いた形態にあるときには前記長手方向軸線から外向きに付勢されており、
前記複数の把持部材の内の前記少なくとも１つは、前記開いた形態にあるときには前記シースによって拘束されてはおらず、前記複数の把持部材を前記シースと係合させることによって、前記シースによって閉じた形態へと拘束される、生検鉗子。
【請求項２】
前記切断縁部は、刃の部分を備えている、請求項１に記載の生検鉗子。
【請求項３】
前記複数の把持部材は、前記閉じた形態にあるときには生検容器を形成している、請求項１に記載の生検鉗子。
【請求項４】
前記シャフトはステンレス鋼で形成されている、請求項１に記載の生検鉗子。
【請求項５】
前記切断縁部は曲線状である、請求項１に記載の生検鉗子。
【請求項６】
前記切断縁部は、生検部位から組織を裂断する様に構成された鋸歯状の縁部を備えている、請求項１に記載の生検鉗子。
【請求項７】
前記切断縁部は、前記長手方向軸線に向けて内側に曲げられている、請求項１に記載の生検鉗子。
【請求項８】
前記シャフトと前記把持部材は、同じ材料から一体の構造で形成されている、請求項１に記載の生検鉗子。
【請求項９】
生検鉗子であって、
中に管腔が形成されているシースと、
前記管腔の中に滑動可能に収容されているシャフトであって、近位部分と、遠位部分と、前記シャフトを貫通して画定されている長手方向軸線と、を有しているシャフトと、
前記シャフトの前記遠位部分に接続されそこから遠位方向に伸張している複数の把持部材であって、前記複数の把持部材の内の少なくとも１つは、前記長手方向軸線から外向きに伸張している、複数の把持部材と、を備えており、
前記シースは、前記シャフトに対して滑動可能であり、前記複数の把持部材と係合してこれを閉じた形態へと動かすことができるようになっており、
前記複数の把持部材は、前記閉じた形態にあるときには生検容器を形成している、生検鉗子。
【請求項１０】
前記把持部材の内の１つ又はそれ以上は、切断縁部を含んでいる、請求項９に記載の生検鉗子。
【請求項１１】
前記切断縁部は、刃の部分を備えている、請求項１０に記載の生検鉗子。
【請求項１２】
前記シースは円筒形の断面を有している、請求項９に記載の生検鉗子。
【請求項１３】
前記複数の把持部材の内の少なくとも１つは、前記閉じた形態では前記長手方向軸線に実質的に平行な輪郭を有しており、開いた形態では曲線状の輪郭を有している、請求項９に記載の生検鉗子。
【請求項１４】
前記シースは、前記複数の把持部材の外面と係合して前記把持部材を拘束する、請求項９に記載の生検鉗子。
【請求項１５】
前記シャフトの一部分は、組織を電気外科的に切るために電気焼灼源に接続可能である、請求項９に記載の生検鉗子。
【手続補正２】
【補正対象書類名】明細書
【補正対象項目名】０００４
【補正方法】変更
【補正の内容】
【０００４】
普通の内視鏡生検鉗子は、近位端と遠位端の間を伸張する長いシャフトから形成されている。近位端には、医師が小さな一対の生検ジョー（ｊａｗ）を制御するのに使用するアクチュエータ機構が設けられている。このジョーは、生検鉗子の遠位端に位置しており、組織の試料を切断、剪断、又は裂断するための歯が設けられている。内視鏡の作業チャネルを通して使用される生検鉗子では、生検鉗子のジョーが内視鏡の遠位端から外に伸張して目標の組織に到達できるように、生検鉗子のシャフトは、内視鏡よりも長い。内視鏡を通して生検鉗子を導入する必要のない部位から生検試料を採取する場合は、もっと短い生検鉗子が使用される。
【手続補正３】
【補正対象書類名】明細書
【補正対象項目名】０００５
【補正方法】変更
【補正の内容】
【０００５】
しかしながら、従来の生検鉗子は、数多くの欠点を有している。例えば、アクチュエータとジョーの機構は、手動組立を必要とする数多くの非常に小さな構成要素で形成されている。生検鉗子の製造には、従って、費用が掛かり、困難で、時間が掛かる。而して、これらの欠点の幾つかでも解決し又は改良する生検鉗子が必要とされている。
【手続補正４】
【補正対象書類名】明細書
【補正対象項目名】００１２
【補正方法】変更
【補正の内容】
【００１２】
さて図面を参照してゆくが、図１−３は、本発明の代表的な実施形態を示している。概括すれば、医療装置１０は、医療分析用の組織試料を採取するために提供されている。図１に示すように、医療装置１０は、遠位端１２を有するカテーテル１１を含んでいる。遠位端１２は、内部シャフト１６と、シャフト１６の遠位端１７から伸張する把持部材２６を含んでいる。長手方向軸Ａは、図１と図２に示すように、シャフト１６を通って画定されている。把持部材２６は、開いた形態では、長手方向軸Ａに対して外向きに付勢されている。遠位端１２は、更に、内部に管腔１９が画定されている外部シース１８を含んでいる。概括的には、シャフト１６は、シース１８の中に（即ち、管腔１９の中に）滑動可能に収容されている。シャフト１６はシース１８に対して滑動可能なので、シャフト１６を少なくとも部分的にはシース１８の中へと後退させて、把持部材２６を閉じた、押縮された形態へとカム運動させることができる。従来型のハンドル４０（図２に示す）は、カテーテル１１の近位端３６に作動的に接続されている。ハンドル４０は、シャフト１６のシース１８に対する動きを制御して、把持部材２６が、外向きに付勢されている開いた形態と、互いにカム運動をした閉じた形態との間の動きを制御するのに使用される。
【手続補正５】
【補正対象書類名】明細書
【補正対象項目名】００１５
【補正方法】変更
【補正の内容】
【００１５】
遠位縁部３２は、例えば、遠位縁部３２が把持部材２６の遠位部分２８の一部を長手方向軸Ａに向けて曲げることによって形成されているときは、縁部３２が互いに嵌り合う適切な寸法形状となるように、遠位縁部３２から材料を取り除くことによって形成されてもよい。刃３３を有する実施形態では、刃３３は、互いに嵌り合うように遠位縁部３２と同様の寸法形状に作られる。代わりに、遠位縁部３２、刃３３、又は両者は、把持部材２６の遠位部分２８に、所望の寸法形状となるよう材料を付け加えることによって形成してもよい。
【手続補正６】
【補正対象書類名】明細書
【補正対象項目名】００１７
【補正方法】変更
【補正の内容】
【００１７】
或る実施形態では、把持部材２６は、長手方向軸Ａの周りに曲線状になっていて、シャフト１６が円筒形の断面である場合には、シャフト１６と同様な概ね環状の輪郭を形成している。シャフト１６とシース１８は、多角形、長円形などを含め、別の形状の断面形状を有していてもよい。或る実施形態では、遠位縁部３２が図２に示すように長方形になって、把持部材２６の遠位部分２８が平坦になっていてもよい。或る実施形態では、把持部材２６は、比較的幅広である。把持部材２６は、閉じた形態で把持部材２６が互いにカム運動をしたときに把持部材２６によって形成されるチャンバ又は容器の中に組織の試料を捕捉するために使用される。把持部材２６の長手方向の縁部２９は、隣接する把持部材の長手方向の縁部２９が噛み合い又は近接して、装置１０が閉じた形態にあるときに組織の試料を保持するためのチャンバを形成するような寸法形状に作られている。閉じた形態の例は、図５に示されている。上記形態は、縁部３２が、生検対象の組織をしっかりと把持して切断又が裂断できるようにし、組織の試料が装置１０から抜け出るのを防いでいる。